(57)【要約】      （修正有）【課題】残尿漏れのズボン等への尿染みの問題を、パンツ内に吸水防水材を多面配置する手段に拠らずに解決し、通気性と着用感も良好な残尿吸水下着を提供する。【解決手段】排尿後の尿道滞溜残尿を尿漏れ前に吸水する下着であり、汎用型残尿吸水肌着２の前身頃裏７下部に、肌着と一体で、吸水布１０を宛てた尿吸水部９を設けるとともに、排尿後の男性器を収容して尿道先端部滞溜残尿を尿漏れ前に吸水、あるいは搾尿するための、残尿ポケット１１を付設した。【選択図】図２
0003190890.tif 000002
【実用新案登録請求の範囲】
【請求項１】
肌着の前身頃裏下部に、排尿後の男性器を収容して尿道先端部滞溜残尿を尿漏れ前に吸水、あるいは搾尿するための尿吸水部を設けたことを特徴とする残尿吸水下着。
【請求項２】
肌着の前身頃裏下部に設けた尿吸水部に、排尿後の男性器を収容して尿道先端部滞溜残尿を尿漏れ前に吸水、あるいは搾尿して、軽度の尿漏れも吸水するための残尿ポケットを付設したことを特徴とする請求項１記載の残尿吸水下着。
【請求項３】
パンツの前身頃裏に、排尿後の男性器を収容して尿道先端部滞溜残尿を尿漏れ前に吸水、あるいは搾尿するための尿吸水部を設けたことを特徴とする残尿吸水下着。
【請求項４】
パンツの前身頃裏に設けた尿吸水部に、排尿後の男性器を収容して尿道先端部滞溜残尿を尿漏れ前に吸水、あるいは搾尿して、軽度の尿漏れも吸水するための残尿ポケットを付設したことを特徴とする請求項３記載の残尿吸水下着。
【請求項５】
防水性を付加した、請求項１〜４に記載の尿吸水部、および尿吸水部に付設した残尿ポケット。
【請求項６】
男性器収容のための先端先細型にした、請求項１〜２に記載の尿吸水部、および尿吸水部に付設した残尿ポケット。
【考案の詳細な説明】
【技術分野】
【０００１】  本考案は、主に排尿後の残尿を吸水する男性下着に関する。
【背景技術】
【０００２】  男性の尿漏れには、排尿後の残尿漏れと、泌尿器疾患の尿漏れがあり、ズボン等への尿染みの問題は日常生活の支障になっている。尿漏れ防止手段として一般的な尿漏れパンツは、尿の伝い漏れ防止の体密着型のパンツ内に、尿漏れ吸水防水材を多面配置した尿漏れパンツを共通手段としてすべての尿漏れに対応しているが、通気性と着用感にやや難があった。
【考案の開示】
【考案が解決しようとする課題】
【０００３】  本考案は、泌尿器疾患を除く、排尿後の健常の残尿漏れを主たる課題として、男性の日常生活の支障になっている、残尿漏れのズボン等への尿染みの課題を、パンツ内に尿漏れ吸水防水材を多面配置する従来の手段に拠らない、健常で軽度の残尿漏れに適った簡潔な吸水手段を有する下着によって解決し、同時に通気性と着用感の課題も解決しようとする。
【課題を解決するための手段】
【０００４】  本考案は、主たる課題の解決手段として、排尿後の男性器を収容して尿道先端部滞溜残尿を尿漏れ前に吸水、あるいは搾尿するための、尿吸水部、もしくは残尿ポケットを設けた肌着あるいはパンツの残尿吸水下着によって、残尿を尿漏れ前に吸水して健常の残尿漏れを解決し、同時に通気性と着用感の課題も解決する。
【考案の効果】
【０００５】  本考案は、残尿吸水下着の、残尿吸水肌着と残尿吸水パンツに設けた、尿吸水部、もしくは残尿ポケットに排尿後の男性器を収容し、尿道先端部滞溜残尿を尿漏れ前に吸水、あるいは搾尿して、同時に通気性と着用感も解決する。健常の残尿漏れは、排尿後の男性器の尿道先端部滞溜残尿が原因で、残尿吸水下着に設けた別布の尿吸水部、もしくは残尿ポケットに吸水することで、尿吸水部と残尿ポケットに防水性を必要としないが、残尿ポケットに防水性を付加すれば軽度の尿漏れも吸水する汎用型残尿吸水下着になる。また、残尿ポケットは男性器収容と尿吸水を容易にする。【０００６】  本考案の残尿吸水肌着は、通常は下着パンツ内に着用して、排尿後に肌着の尿吸水部を引き出し、尿吸水部、もしくは残尿ポケットに男性器を収容して尿道先端部滞溜残尿を吸水した後に、尿吸水部を再度パンツ内に収容着用することで、吸水尿を体温で短時間に乾燥できる。残尿吸水肌着の尿吸水部は、パンツ内に着用すると腹巻効果があり、尿吸水部を先端先細型にすれば男性器収容を容易にして、尿吸水部の吸水布は肌着と別色にすることで尿染み隠し効果もある。また、尿吸水部で吸水の残尿吸水肌着は、吸水布を省いた残尿吸水肌着にしても良い。
【考案を実施するための形態】
【０００７】  以下、添付図面の図１〜図６に従って、本考案の残尿吸水下着の実施例を説明する。図１〜図４は本考案の肌着の実施例で、図１〜図２は残尿吸水肌着の、図３〜図４は残尿吸水腹巻の実施例を示し、図５〜図６は本考案の残尿吸水パンツの実施例を示す。各図中、同一符号は同一または同等の構成要素を表している。
図１は本考案の第一実施例の説明図で、残尿吸水肌着１は前身頃裏７下部に肌着と一体で、吸水布１０を宛てた尿吸水部９を設けた実施例で、尿吸水部９に排尿後の男性器を収容して尿道先端部滞溜残尿を吸水、あるいは搾尿する。
図２は本考案の第二実施例の説明図で、汎用型残尿吸水肌着２は前身頃裏７下部に肌着と一体で、吸水布１０を宛てた尿吸水部９を設けて、残尿ポケット１１を付設した実施例で、残尿ポケット１１に排尿後の男性器を収容して尿道先端部滞溜残尿を吸水、あるいは搾尿する。残尿ポケット１１に防水性を付加すれば、軽度の尿漏れも吸水する汎用型残尿吸水肌着となる。
図３は本考案の第三実施例の説明図で、残尿吸水腹巻３は前身頃裏７下部に腹巻と一体で、吸水布１０を宛てた尿吸水部９を設けた実施例で、尿吸水部９に排尿後の男性器を収容して尿道先端部滞溜残尿を吸水、あるいは搾尿する。
図４は本考案の第四実施例の説明図で、汎用型残尿吸水腹巻４は前身頃裏７下部に腹巻と一体で、吸水布１０を宛てた尿吸水部９を設けて、残尿ポケット１１を付設した実施例で、残尿ポケット１１に排尿後の男性器を収容して先端部尿道滞溜残尿を吸水、あるいは搾尿する。残尿ポケット１１に防水性を付加すれば、軽度の尿漏れも吸水する汎用型残尿吸水腹巻となる。
図５は本考案の第五実施例の説明図で、残尿吸水パンツ５は前身頃裏ウエスト部８下部に、前開き１２付きで、吸水布１０を宛てた尿吸水部９を設けた実施例で、尿吸水部９に排尿後の男性器を収容して尿道先端部滞溜残尿を吸水、あるいは搾尿する。
図６は本考案の第六実施例の説明図で、汎用型残尿吸水パンツ６は前身頃裏ウエスト部８下部に、吸水布１０を宛てた尿吸水部９を設けて、吸水布１０の折返し、または別布の残尿ポケット１１を付設した実施例で、残尿ポケット１１に排尿後の男性器を収容して尿道先端部滞溜残尿を吸水、あるいは搾尿する。残尿ポケット１１に防水性を付加すれば、軽度の尿漏れも吸水する汎用型残尿吸水パンツとなる。
【産業上の利用可能性】
【０００８】  本考案は、男性の日常生活の支障になっている排尿後の健常の残尿漏れによる、ズボン等への尿染みの問題を、簡潔な吸水手段を設けた下着によって解決し、同時に通気性と着用感の問題も解決して、尿漏れ下着商品の利用促進にも役立つ。
【図面の簡単な説明】
【０００９】
【図１】本考案の第一実施例の、肌着の前身頃裏下部に、吸水布を宛てた尿吸水部を設けた残尿吸水肌着説明図である。
【図２】本考案の第二実施例の、肌着の前身頃裏下部に、吸水布を宛てた尿吸水部を設けて、残尿ポケットを付設した汎用型残尿吸水肌着説明図である。
【図３】本考案の第三実施例の、腹巻の前身頃裏下部に、吸水布を宛てた尿吸水部を設けた残尿吸水腹巻説明図である。
【図４】本考案の第四実施例の、腹巻の前身頃裏下部に、吸水布を宛てた尿吸水部を設けて、残尿ポケットを付設した汎用型残尿吸水腹巻説明図である。
【図５】本考案の第五実施例の、パンツの前身頃裏ウエスト部下部に、前開き付きで、吸水布を宛てた尿吸水部を設けた残尿吸水パンツの説明図である。
【図６】本考案の第六実施例の、パンツの前身頃裏ウエスト部下部に、吸水布を宛てた尿吸水部を設けて、吸水布の折返し、または別布で残尿ポケットを付設した汎用型残尿吸水パンツの説明図である。
【符号の説明】
【００１０】１残尿吸水肌着
２汎用型残尿吸水肌着
３残尿吸水腹巻
４汎用型残尿吸水腹巻
５残尿吸水パンツ
６汎用型残尿吸水パンツ
７前身頃裏
８前身頃裏ウエスト部
９尿吸水部
１０吸水布
１１残尿ポケット
１２前開き
【図１】
0003190890.tif 000003
【図２】
0003190890.tif 000004
【図３】
0003190890.tif 000005
【図４】
0003190890.tif 000006
【図５】
0003190890.tif 000007
【図６】
0003190890.tif 000008